(57)【要約】【課題】簡易に複数の屋内用アンテナを設置することができるアンテナ分散システムを提供すること。【解決手段】このアンテナ分散システム１０は、交換局２０と有線通信回線を介して信号の送受信を行う基地局装置１０１ａ〜１０１ｃと、基地局装置１０１ａ〜１０１ｃが受信する信号を分配すると共に基地局装置１０１ａ〜１０１ｃが交換局２０に送信する信号を合成する合成分配器１０２ａ〜１０２ｄと、合成分配器１０２ａ〜１０２ｄに接続され、合成分配器１０２ａ〜１０２ｄが分配する信号を移動局用アンテナ１０４ａ〜１０４ｍに分岐すると共に当該移動局用アンテナ１０４ａ〜１０４ｍから出力される信号を合成分配器１０２ａ〜１０２ｄに送信する合成結合器１０３ａ〜１０３ｍとを含み、合成結合器１０３ａ〜１０３ｍの損失特性が、移動局用アンテナ１０４ａ〜１０４ｍのアンテナ出力が所定の値になるように設定されている。【選択図】　図１
2004048475.tif 000002
【特許請求の範囲】
【請求項１】
移動体通信網に含まれる交換局と有線通信回線を介して信号の送受信を行う基地局装置と、
当該基地局装置に接続され、当該基地局装置が前記交換局から受信する信号を分配すると共に当該基地局装置が前記交換局に送信する信号を合成する合成分配器と、
当該合成分配器に接続され、当該合成分配器が分配する信号を移動局用アンテナに分岐すると共に当該移動局用アンテナから出力される信号を前記合成分配器に送信する合成結合器と、を含み、
前記合成結合器は前記合成分配器に対して直列に複数段接続されており、一の合成分配器に対して接続されるそれぞれの合成結合器の損失特性が、当該それぞれの合成結合器に接続される移動局用アンテナのアンテナ出力が所定の値になるように設定されているアンテナ分散システム。
【請求項２】
前記基地局装置を複数備え、前記合成分配器は当該各基地局装置が受信する信号を合成すると共に当該各基地局が送信する信号を分配する、請求項１に記載のアンテナ分散システム。
【請求項３】
前記基地局装置、前記合成分配器、前記合成結合器、及び、前記移動局用アンテナは同軸給電線によって接続されている、請求項１に記載のアンテナ分散システム。
【発明の詳細な説明】
【０００１】
【発明の属する技術分野】
本発明は、移動局と信号を授受する移動局用アンテナを複数設けるためのアンテナ分散システムに関するものである。
【０００２】
【従来の技術】
移動体通信網では、各所に設けられている基地局と移動局とが無線通信チャネルを確立することで通話や情報通信といった通信が可能となっている。多数の移動局に対応するためには基地局をきめ細かく配置する必要があり、実際に屋外には網羅的に基地局が配置されている。
【０００３】
【発明が解決しようとする課題】
しかしながら、屋外に網羅的に基地局を配置しても、大型のビルやマンションといった建造物の中では、屋外に設けられた基地局からの電波が届きにくい場合もある。そのような状況に対応するために、例えばビルの屋上に設置されている基地局から信号を分岐し、ビル内に設置されている屋内用アンテナに信号を分配することで移動局の通信領域を広げる技術が開示されている。そのような従来の技術では、各ビルごとに屋外用アンテナを備えた基地局を設置しなければならず、多数あるビルの全てに設置することは困難を伴う。
【０００４】
そこで本発明では、簡易に複数の屋内用アンテナを設置することができるアンテナ分散システムを提供することを課題とする。
【０００５】
【課題を解決するための手段】
本発明のアンテナ分散システムは、移動体通信網に含まれる交換局と有線通信回線を介して信号の送受信を行う基地局装置と、当該基地局装置に接続され、当該基地局装置が交換局から受信する信号を分配すると共に当該基地局装置が交換局に送信する信号を合成する合成分配器と、当該合成分配器に接続され、当該合成分配器が分配する信号を移動局用アンテナに分岐すると共に当該移動局用アンテナから出力される信号を合成分配器に出力する合成結合器と、を含み、合成結合器は合成分配器に対して直列に複数段接続されており、一の合成分配器に対して接続されるそれぞれの合成結合器の損失特性が、当該それぞれの合成結合器に接続される移動局用アンテナのアンテナ出力が所定の値になるように設定されている。
【０００６】
本発明のアンテナ分散システムによれば、基地局装置が交換局と有線通信回線を介して信号の送受信を行うので、基地局用のアンテナを用いずに基地局装置と交換局とが信号の送受信を行うことができる。また、合成結合器の損失特性を移動局用アンテナのアンテナ出力が所定の値になるように設定しているので、例えば、移動局用アンテナの配置位置に応じて適宜出力を調整できる。
【０００７】
また本発明のアンテナ分散システムでは、基地局装置を複数備え、合成分配器は当該各基地局装置が受信する信号を合成すると共に当該各基地局が送信する信号を分配することが好ましい。例えば、複数の基地局装置それぞれが異なる周波数帯に対応する信号を取り扱ったり、音声通信とデータ通信とで異なる情報種別に対応する信号を取り扱ったりすることで、様々な種類の移動局に対応できる。
【０００８】
また本発明のアンテナ分散システムでは、基地局装置、合成分配器、合成結合器、及び、移動局用アンテナは同軸給電線によって接続されていることが好ましい。同軸給電線を用いることで配線を一系統にすることができる。
【０００９】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１０】
本発明の実施形態であるアンテナ分散システム１０について図１を用いて説明する。図１はアンテナ分散システム１０の構成を説明するための図である。アンテナ分散システム１０は、基地局装置１０１ａ〜１０１ｃ、合成分配器１０２ａ〜１０２ｄ、合成結合器１０３ａ〜１０３ｍ、移動局用アンテナ１０４ａ〜１０４ｍを含む。
【００１１】
基地局装置１０１ａは、８００ＭＨｚ帯域のＰＤＣ（Ｐｅｒｓｏｎａｌ　Ｄｉｇｉｔａｌ　Ｃｅｌｌｕｌａｒ）方式に対応した基地局装置である。基地局装置１０１ａは少なくとも増幅装置、変復調装置、多重化装置を含み、移動体通信網の交換局２０と専用電話回線（有線通信回線）で接続されている。従って、基地局装置１０１ａは、基地局アンテナや屋外受信増幅器といった設備を除けば通常の基地局とほぼ同様の構成をしている。基地局装置１０１ａは、交換局２０から受信した信号を合成分配器１０２ａに出力し、合成分配器１０２ａから受信した信号を交換局２０へ送信する。
【００１２】
基地局装置１０１ｂは、２ＧＨｚ帯域のＰＤＣ方式に対応した基地局装置である。基地局装置１０１ｂは少なくとも増幅装置、変復調装置、多重化装置を含み、移動体通信網の交換局２０と専用電話回線で接続されている。従って、基地局装置１０１ｂは、基地局アンテナや屋外受信増幅器といった設備を除けば通常の基地局とほぼ同様の構成をしている。基地局装置１０１ｂは、交換局２０から受信した信号を合成分配器１０２ａに出力し、合成分配器１０２ａから受信した信号を交換局２０へ送信する。
【００１３】
基地局装置１０１ｃは、ＰＤＣ−Ｐ（Ｐｅｒｓｏｎａｌ　Ｄｉｇｉｔａｌ　Ｃｅｌｌｕｌａｒ−ｐａｃｋｅｔ）方式のデータ通信に対応した基地局装置である。基地局装置１０１ｃは少なくとも増幅装置、変復調装置、多重化装置を含み、移動体通信網の交換局２０と専用電話回線で接続されている。従って、基地局装置１０１ｃは、基地局アンテナや屋外受信増幅器といった設備を除けば通常の基地局とほぼ同様の構成をしている。基地局装置１０１ｃは、交換局２０から受信した信号を合成分配器１０２ｂに出力し、合成分配器１０２ｂから受信した信号を交換局２０へ送信する。
【００１４】
合成分配器１０２ａは、基地局装置１０１ａ及び基地局装置１０１ｂと、合成分配器１０２ｂとにそれぞれ同軸給電線を介して接続されている。合成分配器１０２ａは、共用器と、増幅器と、帯域フィルタとを含んで構成される。合成分配器１０２ａは、基地局装置１０１ａから出力される信号及び基地局装置１０１ｂから出力される信号を合成して合成分配器１０２ｂに出力する。また、合成分配器１０２ａは合成分配器１０２ｂから出力される信号を、基地局装置１０１ａ及び基地局装置１０１ｂに対してそれぞれの帯域に適合する信号を分岐して出力する。
【００１５】
合成分配器１０２ｂは、合成分配器１０２ａと、基地局装置１０１ｃと、合成分配器１０２ｃ及び合成分配器１０２ｄとにそれぞれ同軸給電線を介して接続されている。合成分配器１０２ｂは、合成分配器１０２ａから出力される信号及び基地局装置１０１ｃから出力される信号を合成し、その合成した信号を合成分配器１０２ｃ及び合成分配器１０２ｄにそれぞれ分岐して出力する。また、合成分配器１０２ｂは合成分配器１０２ｃ及び合成分配器１０２ｄから出力される信号を、合成分派器１０２ａ及び基地局装置１０１ｃに対してそれぞれ分岐して出力する。
【００１６】
合成分配器１０２ｃは、合成分配器１０２ｂと、合成結合器１０３ａ及び合成結合器１０３ｄとにそれぞれ同軸給電線を介して接続されている。合成分配器１０２ｃは、合成分配器１０２ｂから出力される信号を合成結合器１０３ａ及び合成結合器１０３ｄにそれぞれ分岐して出力する。また、合成分配器１０２ｃは、合成結合器１０３ａ及び合成結合器１０３ｄから出力される信号を合成し、その合成した信号を合成分配器１０２ｂに出力する。
【００１７】
合成結合器１０３ａは、合成分配器１０２ｃと、合成結合器１０３ｂと、移動局用アンテナ１０４ａとにそれぞれ同軸給電線を介して接続されている。合成結合器１０３ａはカプラとして機能するので、合成分配器１０２ｃから出力された信号を移動局用アンテナ１０４ａ及び合成結合器１０３ｂに出力し、移動局用アンテナ１０４ａ及び合成結合器１０３ｂから出力された信号を合成分配器１０２ｃに出力する。
【００１８】
合成結合器１０３ｂは、合成結合器１０３ａと、合成結合器１０３ｃと、移動局用アンテナ１０４ｂとにそれぞれ同軸給電線を介して接続されている。合成結合器１０３ｂはカプラとして機能するので、合成結合器１０３ａから出力された信号を移動局用アンテナ１０４ｂ及び合成結合器１０３ｃに出力し、移動局用アンテナ１０４ｂ及び合成結合器１０３ｃから出力された信号を合成結合器１０３ａに出力する。
【００１９】
合成結合器１０３ｃは、合成結合器１０３ｂと、移動局用アンテナ１０４ｃとにそれぞれ同軸給電線を介して接続されている。合成結合器１０３ｃはカプラとして機能するので、合成結合器１０３ｂから出力された信号を移動局用アンテナ１０４ｂに出力し、移動局用アンテナ１０４ｂから出力された信号を合成結合器１０３ｂに出力する。本実施形態の場合には合成結合器１０３ｃの後段には合成結合器が接続されていないけれども、設置したい移動局用アンテナの個数によっては更に合成結合器を追加してもよい。
【００２０】
ここで、合成分配器１０２ｃから合成結合器１０３ａ、合成結合器１０３ｂ、合成結合器１０３ｃに繋がる系統においては、合成結合器１０３ａ〜１０３ｃは、合成分配器１０２ｃから順番に同軸給電線を介して直列に接続されている。合成結合器１０３ａ、合成結合器１０３ｂ、合成結合器１０３ｃのそれぞれには移動局用アンテナ１０４ａ、移動局用アンテナ１０４ｂ、移動局用アンテナ１０４ｃが同軸給電線を介して接続されている。合成結合器１０３ａ〜１０３ｃ及び移動局用アンテナ１０４ａ〜１０４ｃが上述のような構成をとることにより、移動局用アンテナ１０４ａ〜１０４ｃは、移動局用のアンテナとして機能することができる。
【００２１】
合成結合器１０３ｄ〜１０３ｆ及び移動局用アンテナ１０４ｄ〜１０４ｆは、合成結合器１０３ａ〜１０３ｃ及び移動局用アンテナ１０４ａ〜１０４ｃと同様の配置となっており、移動局用アンテナ１０４ｄ〜１０４ｆも同様に移動局用のアンテナとして機能する。
【００２２】
合成分配器１０２ｄ、合成結合器１０３ｇ〜１０３ｍ、及び、移動局用アンテナ１０４ｇ〜１０４ｍは、合成分配器１０２ｃ、合成結合器１０３ａ〜１０３ｆ、及び、移動局用アンテナ１０４ａ〜１０４ｆのそれぞれと同様の配置になっている。従って、移動局用アンテナ１０４ｇ〜１０４ｍも同様に移動局用のアンテナとして機能する。
【００２３】
合成結合器１０３ａ〜１０３ｍは、例えば図２に示す合成結合器種別Ａ〜Ｆのいずれかが用いられる。図２の「挿入損失Ｐ１−Ｐ３」は、合成結合器の前段側から移動局用アンテナ側に出力する際の挿入損失であり、「挿入損失Ｐ１−Ｐ２」は、合成結合器の前段側から後段側に出力する際の挿入損失である。各合成結合器１０３ａ〜１０３ｍ同士を接続する際の同軸給電線の接続長や、移動局用アンテナ１０４ａ〜１０４ｍに求められるアンテナ出力に基づいて、適宜合成結合器種別Ａ〜Ｆのいずれかを組み合わせることにより、アンテナ分散システム１０として最適なシステムを構築することができる。従って、例えば各移動局用アンテナ１０４ａ〜１０４ｍのアンテナ出力を一定にして、容易にエリア設計をすることができる。また、本実施形態では移動局用アンテナ数は１２個としているが、図２に示す合成結合器種別Ａ〜Ｆの組み合わせにより、アンテナ出力を−１０ｄＢ程度として移動局用アンテナ数を９０個まで確保できる。
【００２４】
本実施形態の作用及び効果について説明する。基地局装置１０１ａ〜１０１ｃが交換局２０と有線通信回線を介して信号の送受信を行うので、基地局用のアンテナを用いずに基地局装置１０１ａ〜１０１ｃと交換局２０とが信号の送受信を行うことができる。また、合成結合器１０３ａ〜１０３ｍの損失特性を移動局用アンテナ１０４ａ〜１０４ｍのアンテナ出力が所定の値になるように、図２に示す合成結合器種別Ａ〜Ｆから選択しているので、例えば、移動局用アンテナ１０４ａ〜１０４ｍの配置位置に応じて適宜出力を調整できる。
【００２５】
基地局装置１０１ａ〜１０１ｃは、それぞれが異なる周波数帯に対応する信号を取り扱ったり、音声通信とデータ通信とで異なる情報種別に対応する信号を取り扱ったりしているので、様々な種類の移動局に対応できる。
【００２６】
また本発明のアンテナ分散システム１０では、基地局装置１０１ａ〜１０１ｃ、合成分配器１０２ａ〜１０２ｄ、及び、合成結合器１０３ａ〜１０３ｍは同軸給電線によって接続されているので配線を一系統にすることができる。
【００２７】
【発明の効果】
本発明によれば、基地局装置が交換局と有線通信回線を介して信号の送受信を行うので、基地局用のアンテナを用いずに基地局装置と交換局とが信号の送受信を行うことができる。また、合成結合器の損失特性を移動局用アンテナのアンテナ出力が所定の値になるように設定しているので、例えば、移動局用アンテナの配置位置に応じて適宜出力を調整できる。従って本発明の目的とする、簡易に複数の屋内用アンテナを設置することができるアンテナ分散システムを提供することができた。
【図面の簡単な説明】
【図１】本発明の実施形態であるアンテナ分散システムを説明するための図である。
【図２】図１の合成結合器の種別を示した図である。
【符号の説明】
１０…アンテナ分散システム、２０…交換局、１０１ａ〜１０１ｃ…基地局装置、１０２ａ〜１０２ｄ…合成分配器、１０３ａ〜１０３ｍ…合成結合器、１０４ａ〜１０４ｍ…移動局用アンテナ。
【図１】
2004048475.tif 000003
【図２】
2004048475.tif 000004